(57)【要約】【課題】前房からの房水の排出量の改善率を高めることが可能な緑内障治療用のステントを提供する。【解決手段】緑内障の治療を行うためにシュレム管に挿入される緑内障治療用のステント１は、弾性体で形成されシュレム管の径方向に広がる拡張性を有している。そのため、シュレム管の中に配置されるステント１によって、シュレム管を径方向に広げて、シュレム管を流れる房水の量を増加させることが可能になる。また、シュレム管を径方向に広げることで、網目構造を有する線維柱帯を広げることが可能になり、その結果、線維柱帯を通過する房水の量を増加させることが可能になる。【選択図】図１
2019141450.tif 000002
【特許請求の範囲】
【請求項１】
緑内障の治療を行うためにシュレム管に挿入される緑内障治療用のステントであって、
弾性体で形成され前記シュレム管の径方向に広がる拡張性を有することを特徴とする緑内障治療用のステント。
【請求項２】
形状記憶合金で形成されるとともに、変態点が常温よりも低い温度となっていることを特徴とする請求項１記載の緑内障治療用のステント。
【請求項３】
環状に形成される前記シュレム管の周方向に沿って配置される細長い基部と、前記基部の長手方向から見たときの形状が円弧状となるとともに前記基部の長手方向に沿って配列され前記基部に一端のみが繋がる複数の円弧部とを備えることを特徴とする請求項１または２記載の緑内障治療用のステント。
【請求項４】
環状に形成される前記シュレム管の周方向を長手方向とする長尺状に形成される複数の長尺部と、前記長尺部の長手方向から見たときの形状が円形状となる円環状に形成されるとともに複数の前記長尺部の両端のそれぞれを繋ぐ２個の接続部とを備え、
複数の前記長尺部は、前記長尺部の長手方向から見たときに円環状に配列され、
前記長尺部は、前記シュレム管の径方向の外側に膨らむ円弧状の複数の円弧部と、直線状に形成される複数の直線部とから構成され、
前記円弧部と前記直線部とは、前記長尺部の長手方向において交互に配置され、
複数の前記長尺部の前記円弧部によって前記シュレム管の径方向の外側に膨らむ拡径部が形成されていることを特徴とする請求項１または２記載の緑内障治療用のステント。
【請求項５】
環状に形成される前記シュレム管の周方向から見たときの形状がＣ形状となる複数のＣ形状部と、複数の前記Ｃ形状部を繋ぐ複数の連結部とを備え、
前記Ｃ形状部と前記連結部とは、前記シュレム管の周方向において交互に配置され、
前記シュレム管の径方向のうちの所定の方向を第１方向とし、第１方向の反対方向を第２方向とし、前記シュレム管の径方向のうちの第１方向と第２方向とに直交する一方向を第３方向とし、第３方向の反対方向を第４方向とすると、
前記シュレム管の周方向から見たときの前記Ｃ形状部の形状は、第３方向端に隙間が形成されるＣ形状となっており、
前記Ｃ形状部は、第１方向側に配置されるとともに前記シュレム管の周方向に間隔をあけた状態で配置される半円弧状の複数の第１円弧部と、第２方向側に配置されるとともに前記シュレム管の周方向に間隔をあけた状態で配置される半円弧状の複数の第２円弧部と、複数の前記第１円弧部の第３方向端を繋ぐ第１接続部と、複数の前記第２円弧部の第３方向端を繋ぐ第２接続部と、複数の前記第１円弧部の第４方向端を繋ぐとともに複数の前記第２円弧部の第４方向端を繋ぐ第３接続部と、前記シュレム管の周方向における前記第１接続部の両端のそれぞれと前記第３接続部の両端のそれぞれとを繋ぐ２個の第４接続部と、前記シュレム管の周方向における前記第２接続部の両端のそれぞれと前記第３接続部の両端のそれぞれとを繋ぐ２個の第５接続部とを備え、
前記連結部は、第１方向端に配置される直線状の第１直線部と、第２方向端に配置される直線状の第２直線部とによって構成され、
複数の前記Ｃ形状部の間では、前記第４接続部と前記第１直線部とが繋がり、前記第５接続部と前記第２直線部とが繋がっていることを特徴とする請求項１または２記載の緑内障治療用のステント。
【発明の詳細な説明】
【技術分野】
【０００１】
本発明は、緑内障の治療を行うためにシュレム管に挿入される緑内障治療用のステントに関する。
【背景技術】
【０００２】
従来、緑内障の治療に使用されるステントが知られている（たとえば、特許文献１参照）。特許文献１に記載のステントは、隅角に配置されるキャップ部分と、シュレム管の中に配置されるメインボディ部分と、キャップ部分とメインボディ部分とを繋ぐとともに線維柱帯（小柱網）を貫通するように配置されるシャンク部分とから構成されている。キャップ部分およびシャンク部分には、隅角とシュレム管とを繋ぐ貫通穴が形成されており、前房（前眼房）からシュレム管に向かってこの貫通穴の中を房水（眼房水）が流れる。そのため、このステントを使用することで、患者の眼圧を下げることが可能になる。
【先行技術文献】
【特許文献】
【０００３】
【特許文献１】特開２０１４−１９３３６６号公報
【発明の概要】
【発明が解決しようとする課題】
【０００４】
特許文献１に記載のステントを使用しても、前房から排出される房水の量は、キャップ部分およびシャンク部分に形成される貫通穴の中を流れる分しか増加しない。そのため、特許文献１に記載のステントを使用しても、前房からの房水の排出量の改善率はそれほど高くならない。
【０００５】
そこで、本発明の課題は、前房からの房水の排出量の改善率を高めることが可能な緑内障治療用のステントを提供することにある。
【課題を解決するための手段】
【０００６】
上記の課題を解決するため、本発明の緑内障治療用のステントは、緑内障の治療を行うためにシュレム管に挿入される緑内障治療用のステントであって、弾性体で形成されシュレム管の径方向に広がる拡張性を有することを特徴とする。
【０００７】
本発明の緑内障治療用のステントは、シュレム管の径方向に広がる拡張性を有している。そのため、本発明では、シュレム管に挿入されたステントによって、シュレム管を径方向に広げて、シュレム管を流れる房水の量を増加させることが可能になる。また、本発明では、シュレム管を径方向に広げることで、網目構造を有する線維柱帯の網目を広げることが可能になり、その結果、線維柱帯を通過する房水の量を増加させることが可能になる。また、シュレム管を径方向に広げることで、線維柱帯の網目構造を維持するための線維柱帯細胞に対して物理的刺激を加えて線維柱帯細胞の活動を活発化させることが可能になり、その結果、網目構造を再構築させて、線維柱帯を通過する房水の量を増加させることが可能になる。
【０００８】
このように、本発明では、シュレム管を流れる房水の量を増加させることが可能になるとともに、線維柱帯を通過する房水の量を増加させることが可能になる。したがって、本発明では、前房からの房水の排出量の改善率を高めることが可能になる。また、本発明では、シュレム管を径方向に広げることで、シュレム管に刺激を与えて、房水量を増加させることが可能になる。また、シュレム管を径方向に広げることで、網目構造を有するシュレム管の網目を広げることが可能になる。
【０００９】
本発明において、緑内障治療用のステントは、形状記憶合金で形成されるとともに、変態点が常温よりも低い温度となっていることが好ましい。すなわち、本発明において、緑内障治療用のステントは、シュレム管に挿入される前から超弾性状態となっていることが好ましい。このように構成すると、シュレム管の径方向に縮めた状態のステントを所定のインサータを使用してシュレム管に挿入してシュレム管の中に配置することで、自動的にシュレム管の径方向にステントを拡張させることが可能になる。また、このように構成すると、シュレム管の中に配置されるステントの超弾性状態を確実に維持することが可能になるため、シュレム管の中に配置されたステントによって、シュレム管が径方向に拡張した状態を確実に維持し続けることが可能になる。
【００１０】
本発明において、緑内障治療用のステントは、たとえば、環状に形成されるシュレム管の周方向に沿って配置される細長い基部と、基部の長手方向から見たときの形状が円弧状となるとともに基部の長手方向に沿って配列され基部に一端のみが繋がる複数の円弧部とを備えている。
【００１１】
本発明において、緑内障治療用のステントは、環状に形成されるシュレム管の周方向を長手方向とする長尺状に形成される複数の長尺部と、長尺部の長手方向から見たときの形状が円形状となる円環状に形成されるとともに複数の長尺部の両端のそれぞれを繋ぐ２個の接続部とを備え、複数の長尺部は、長尺部の長手方向から見たときに円環状に配列され、長尺部は、シュレム管の径方向の外側に膨らむ円弧状の複数の円弧部と、直線状に形成される複数の直線部とから構成され、円弧部と直線部とは、長尺部の長手方向において交互に配置され、複数の長尺部の円弧部によってシュレム管の径方向の外側に膨らむ拡径部が形成されていても良い。
【００１２】
また、本発明において、緑内障治療用のステントは、環状に形成されるシュレム管の周方向から見たときの形状がＣ形状となる複数のＣ形状部と、複数のＣ形状部を繋ぐ複数の連結部とを備え、Ｃ形状部と連結部とは、シュレム管の周方向において交互に配置され、シュレム管の径方向のうちの所定の方向を第１方向とし、第１方向の反対方向を第２方向とし、シュレム管の径方向のうちの第１方向と第２方向とに直交する一方向を第３方向とし、第３方向の反対方向を第４方向とすると、シュレム管の周方向から見たときのＣ形状部の形状は、第３方向端に隙間が形成されるＣ形状となっており、Ｃ形状部は、第１方向側に配置されるとともにシュレム管の周方向に間隔をあけた状態で配置される半円弧状の複数の第１円弧部と、第２方向側に配置されるとともにシュレム管の周方向に間隔をあけた状態で配置される半円弧状の複数の第２円弧部と、複数の第１円弧部の第３方向端を繋ぐ第１接続部と、複数の第２円弧部の第３方向端を繋ぐ第２接続部と、複数の第１円弧部の第４方向端を繋ぐとともに複数の第２円弧部の第４方向端を繋ぐ第３接続部と、シュレム管の周方向における第１接続部の両端のそれぞれと第３接続部の両端のそれぞれとを繋ぐ２個の第４接続部と、シュレム管の周方向における第２接続部の両端のそれぞれと第３接続部の両端のそれぞれとを繋ぐ２個の第５接続部とを備え、連結部は、第１方向端に配置される直線状の第１直線部と、第２方向端に配置される直線状の第２直線部とによって構成され、複数のＣ形状部の間では、第４接続部と第１直線部とが繋がり、第５接続部と第２直線部とが繋がっていても良い。
【発明の効果】
【００１３】
以上のように、本発明の緑内障治療用のステントでは、前房からの房水の排出量の改善率を高めることが可能になる。
【図面の簡単な説明】
【００１４】
【図１】（Ａ）〜（Ｃ）は、本発明の実施の形態にかかるステントの斜視図であり、（Ｄ）、（Ｅ）は、シュレム管へのステントの挿入方法を説明するための図である。
【図２】（Ａ）は、本発明の他の実施の形態にかかるステントの斜視図であり、（Ｂ）は、（Ａ）に示すステントの平面図であり、（Ｃ）は、（Ａ）に示すステント１の正面図である。
【図３】（Ａ）は、本発明の他の実施の形態にかかるステントの斜視図であり、（Ｂ）は、（Ａ）に示すステントの平面図である。
【図４】（Ａ）は、図３（Ａ）に示すステントの側面図であり、（Ｂ）は、図３（Ａ）に示すステントの正面図である。
【発明を実施するための形態】
【００１５】
以下、図面を参照しながら、本発明の実施の形態を説明する。
【００１６】
（ステントの構成）
図１（Ａ）〜（Ｃ）は、本発明の実施の形態にかかるステント１の斜視図であり、図１（Ｄ）、（Ｅ）は、シュレム管へのステント１の挿入方法を説明するための図である。
【００１７】
本形態のステント１は、緑内障の治療を行うためにシュレム管に挿入される緑内障治療用のステントである。ステント１は、弾性体で形成されている。また、ステント１は、ニッケルチタン合金等の形状記憶合金で形成されている。ステント１の変態点は、常温よりも低い温度となっており、ステント１は、常温環境下で超弾性状態となっている。たとえば、ステント１の変態点は、５（℃）程度となっている。ステント１は、径の小さなパイプにレーザ電解複合加工を行うことで形成されている。レーザ電解複合加工前のパイプの外径は、たとえば、０．３（ｍｍ）〜０．４（ｍｍ）程度となっている。また、レーザ電解複合加工前のパイプの肉厚は、たとえば、０．０５（ｍｍ）程度となっている。
【００１８】
ステント１は、環状に形成されるシュレム管の周方向に沿って配置される細長い基部１ａと、基部１ａの長手方向から見たときの形状が円弧状となるとともに基部１ａに一端のみが繋がる複数の円弧部１ｂとから構成されている。複数の円弧部１ｂは、基部１ａの長手方向に沿って配列されている。ステント１では、たとえば、図１（Ａ）に示すように、基部１ａの、長手方向に直交する方向の両側面のそれぞれに基端が繋がる半円弧状の一対の円弧部１ｂが基部１ａの長手方向に沿って複数配列されている。図１（Ａ）に示す例では、基部１ａの長手方向において、基部１ａの基端と先端とは同じ位置に配置されている。また、図１（Ａ）に示す例では、円弧部１ｂの径方向の内側への円弧部１ｂの弾性変形が可能となるように、一対の円弧部１ｂの先端の間に隙間が形成されている。
【００１９】
また、たとえば、ステント１では、図１（Ｂ）、（Ｃ）に示すように、基部１ａの、長手方向に直交する方向の一方の側面に基端が繋がるＣ形状の円弧部１ｂが基部１ａの長手方向に沿って複数配列されている。図１（Ｂ）に示す例では、基部１ａの長手方向において、基部１ａの基端と先端とが同じ位置に配置され、図１（Ｃ）に示す例では、基部１ａの長手方向において、基部１ａの基端と先端とがずれている。また、図１（Ｂ）、（Ｃ）に示す例では、円弧部１ｂの径方向の内側への円弧部１ｂの弾性変形が可能となるように、基部１ａの、長手方向に直交する方向の他方の側面と、円弧部１ｂの先端との間に隙間が形成されている。
【００２０】
シュレム管にステント１が挿入された状態では、ステント１は、環状に形成されるシュレム管の周方向に基部１ａの長手方向が沿うように円弧状に湾曲している。また、シュレム管にステント１が挿入された状態では、ステント１の外周面がシュレム管の内周面に接触しており、ステント１はシュレム管を径方向の外側に押し広げている。すなわち、ステント１は、シュレム管の径方向に拡張する拡張性を有する自己拡張型のステントである。
【００２１】
ステント１は、管状に形成される挿入管２と、挿入管２の中に配置されるステント１を押し出す押出部材３とを備えるインサータ４（図１（Ｄ）、（Ｅ）参照）によって、シュレム管の中に挿入される。ステント１は、円弧部１ｂの径方向の内側に円弧部１ｂが弾性変形させられた状態で挿入管２に挿入される。ステント１が挿入された挿入管２は、シュレム管に挿入される。シュレム管の中で、押出部材３によってステント１が挿入管２から押し出されると、ステント１は、円弧部１ｂの径方向の外側に自動的に広がって（すなわち、シュレム管の径方向の外側に自動的に広がって）、シュレム管を径方向の外側に押し広げる。
【００２２】
（本形態の主な効果）
以上説明したように、本形態のステント１は、シュレム管の径方向に広がる拡張性を有している。そのため、本形態では、シュレム管に挿入されたステント１によって、シュレム管を径方向に広げて、シュレム管を流れる房水の量を増加させることが可能になる。また、本形態では、シュレム管を径方向に広げることで、網目構造を有する線維柱帯の網目を広げることが可能になり、その結果、線維柱帯を通過する房水の量を増加させることが可能になる。また、シュレム管を径方向に広げることで、線維柱帯の網目構造を維持するための線維柱帯細胞に対して物理的刺激を加えて線維柱帯細胞の活動を活発化させることが可能になり、その結果、網目構造を再構築させて、線維柱帯を通過する房水の量を増加させることが可能になる。
【００２３】
このように、本形態では、シュレム管を流れる房水の量を増加させることが可能になるとともに、線維柱帯を通過する房水の量を増加させることが可能になる。したがって、本形態では、前房からの房水の排出量の改善率を高めることが可能になる。また、本形態では、シュレム管を径方向に広げることで、シュレム管に刺激を与えて、房水量を増加させることが可能になる。また、シュレム管を径方向に広げることで、網目構造を有するシュレム管の網目を広げることが可能になる。
【００２４】
本形態では、形状記憶合金で形成されるステント１の変態点は、常温よりも低い温度となっており、ステント１は、シュレム管に挿入される前から超弾性状態となっている。そのため、本形態では、シュレム管の径方向に縮めた状態のステント１をインサータ４を使用してシュレム管に挿入してシュレム管の中に配置することで、上述のように、自動的にステント１をシュレム管の径方向に拡張させることができる。また、本形態では、シュレム管の中に配置されるステント１の超弾性状態を確実に維持することが可能になるため、シュレム管に配置されたステント１によって、シュレム管が径方向に拡張した状態を確実に維持し続けることが可能になる。
【００２５】
（ステントの変形例１）
図２（Ａ）は、本発明の他の実施の形態にかかるステント１の斜視図であり、図２（Ｂ）は、図２（Ａ）に示すステント１の平面図であり、図２（Ｃ）は、図２（Ａ）に示すステント１の正面図である。
【００２６】
ステント１は、図２に示すように、環状に形成されるシュレム管の周方向を長手方向とする長尺状（線状）に形成される複数の長尺部１ｄと、長尺部１ｄの長手方向から見たときの形状が円形状となる円環状に形成されるとともに複数の長尺部１ｄの両端のそれぞれを繋ぐ２個の接続部１ｅとから構成されていても良い。図２に示すステント１では、複数の長尺部１ｄは、長尺部１ｄの長手方向から見たときに円環状に配列されている。長尺部１ｄは、シュレム管の径方向の外側に膨らむ円弧状の複数の円弧部１ｆと、直線状に形成される複数の直線部１ｇとから構成されている。
【００２７】
円弧部１ｆと直線部１ｇとは、長尺部１ｄの長手方向において交互に配置されている。２個の接続部１ｅのうちの一方の接続部１ｅは、長尺部１ｄの長手方向の一端に配置される複数の円弧部１ｆの一端を繋ぎ、他方の接続部１ｅは、長尺部１ｄの長手方向の他端に配置される複数の円弧部１ｆの一端を繋いでいる。複数の長尺部１ｄの複数の円弧部１ｆのそれぞれは、長尺部１ｄの長手方向において同じ位置に配置され、複数の長尺部１ｄの複数の直線部１ｇのそれぞれは、長尺部１ｄの長手方向において同じ位置に配置されている。
【００２８】
このステント１では、複数の長尺部１ｄの円弧部１ｆによって（具体的には、長尺部１ｄの長手方向において同じ位置に配置される複数の円弧部１ｆによって）シュレム管の径方向の外側に膨らむ拡径部１ｈが形成されている。拡径部１ｈは、エンタシス形状に形成されている。すなわち、拡径部１ｈは、略提灯形状に形成されている。拡径部１ｈは、長尺部１ｄの長手方向において一定のピッチで配置されている。図２に示すステント１では、円環状に形成される接続部１ｅの径方向の内側への長尺部１ｄの弾性変形が可能になっている。
【００２９】
上述した形態のステント１と同様に、図２に示すステント１は、形状記憶合金で形成されており、常温環境下で超弾性状態となっている。また、このステント１は、径の小さなパイプにレーザ電解複合加工を行うことで形成されている。また、このステント１がシュレム管に挿入された状態では、ステント１は、環状に形成されるシュレム管の周方向に長尺部１ｄの長手方向が沿うように円弧状に湾曲している。また、シュレム管にステント１が挿入された状態では、ステント１の外周面がシュレム管の内周面に接触しており、ステント１はシュレム管を径方向の外側に押し広げている。すなわち、図２に示すステント１も、シュレム管の径方向に拡張する拡張性を有している。
【００３０】
図２に示すステント１においても、上述した形態と同様の効果を得ることができる。なお、図２に示すステント１では、複数の長尺部１ｄの両端が接続部１ｅによって接続されており、このステント１は、接続部１ｅ以外に複数の長尺部１ｄ同士を接続する部材を備えていないため、シュレム管の周方向に沿って円弧状に湾曲しやすくなっている。
【００３１】
（ステントの変形例２）
図３（Ａ）は、本発明の他の実施の形態にかかるステント１の斜視図であり、図３（Ｂ）は、図３（Ａ）に示すステント１の平面図である。図４（Ａ）は、図３（Ａ）に示すステント１の側面図であり、図４（Ｂ）は、図３（Ａ）に示すステント１の正面図である。
【００３２】
ステント１は、図３、図４に示すように、環状に形成されるシュレム管の周方向から見たときの形状がＣ形状となる複数のＣ形状部１ｊと、複数のＣ形状部１ｊを繋ぐ複数の連結部１ｋとから構成されていても良い。図３、図４に示すステント１は、シュレム管の周方向を長手方向とする長尺状に形成されている。図３、図４に示すステント１では、Ｃ形状部１ｊと連結部と１ｋは、シュレム管の周方向において交互に配置されている。
【００３３】
以下の説明では、シュレム管の径方向のうちの所定の方向（図３、図４のＸ１方向）を「上方向」とし、上方向の反対方向である図３、図４のＸ２方向を「下」方向とし、シュレム管の径方向のうちの上下方向に直交する一方向である図３、図４のＹ１方向を「左」方向とし、左方向の反対方向である図３、図４のＹ２方向を「右」方向とする。この変形例では、上方向は第１方向であり、下方向は第２方向であり、左方向は第３方向であり、右方向は第４方向である。
【００３４】
図３、図４に示すステント１では、シュレム管の周方向から見たときのＣ形状部１ｊの形状は、左端に隙間が形成されるＣ形状となっている。Ｃ形状部１ｊは、上側に配置されるとともにシュレム管の周方向に間隔をあけた状態で配置される半円弧状の複数の第１円弧部１ｎと、下側に配置されるとともにシュレム管の周方向に間隔をあけた状態で配置される半円弧状の複数の第２円弧部１ｐと、複数の第１円弧部１ｎの左端を繋ぐ第１接続部１ｒと、複数の第２円弧部１ｐの左端を繋ぐ第２接続部１ｓと、複数の第１円弧部１ｎの右端を繋ぐとともに複数の第２円弧部１ｐの右端を繋ぐ第３接続部１ｔと、シュレム管の周方向における第１接続部１ｒの両端のそれぞれと第３接続部１ｔの両端のそれぞれとを繋ぐ２個の第４接続部１ｖと、シュレム管の周方向における第２接続部１ｓの両端のそれぞれと第３接続部１ｔの両端のそれぞれとを繋ぐ２個の第５接続部１ｗとから構成されている。この変形例では、Ｃ形状部１ｊは、２個の第１円弧部１ｎと２個の第２円弧部１ｐとを備えている。
【００３５】
第１接続部１ｒ、第２接続部１ｓおよび第３接続部１ｔは、直線状に形成されている。第１円弧部１ｎは、上側に膨らむ半円弧状に形成されており、第１円弧部１ｎの左端となる第１円弧部１ｎの下端の一方は、第１接続部１ｒに繋がり、第１円弧部１ｎの右端となる第１円弧部１ｎの下端の他方は、第３接続部１ｔに繋がっている。第２円弧部１ｐは、下側に膨らむ半円弧状に形成されており、第２円弧部１ｐの左端となる第２円弧部１ｐの上端の一方は、第２接続部１ｓに繋がり、第２円弧部１ｐの右端となる第２円弧部１ｐの上端の他方は、第３接続部１ｔに繋がっている。
【００３６】
第４接続部１ｖは、第１接続部１ｒ、第３接続部１ｔの端部から上側に膨らむように形成されている。また、第４接続部１ｖは、第４接続部１ｖの上端に向かうにしたがって、シュレム管の周方向において、第１接続部１ｒ、第３接続部１ｔの端部から離れるように形成されている。シュレム管の周方向から見たときの第４接続部１ｖの形状は、第１円弧部１ｎと同形状の半円弧状となっている。第５接続部１ｗは、第２接続部１ｓ、第３接続部１ｔの端部から下側に膨らむように形成されている。また、第５接続部１ｗは、第５接続部１ｗの下端に向かうにしたがって、シュレム管の周方向において、第２接続部１ｓ、第３接続部１ｔの端部から離れるように形成されている。シュレム管の周方向から見たときの第５接続部１ｗの形状は、第２円弧部１ｐと同形状の半円弧状となっている。
【００３７】
シュレム管の周方向において、第１円弧部１ｎと第２円弧部１ｐとは同じ位置に配置されており、上下方向から見ると、第１円弧部１ｎと第２円弧部１ｐとは重なっている。また、シュレム管の周方向において、第１接続部１ｒと第２接続部１ｓとは同じ位置に配置されており、上下方向から見ると、第１接続部１ｒと第２接続部１ｓとは重なっている。また、シュレム管の周方向において、第３接続部１ｔは、第１接続部１ｒおよび第２接続部１ｓと同じ位置に配置されている。また、シュレム管の周方向において、第４接続部１ｖと第５接続部１ｗとは同じ位置に配置されており、上下方向から見ると、第４接続部１ｖと第５接続部１ｗとが重なっている。
【００３８】
連結部１ｋは、上端に配置される直線状の第１直線部１ｘと、下端に配置される直線状の第２直線部１ｙとによって構成されている。複数のＣ形状部１ｊの間では、第４接続部１ｖと第１直線部１ｘとが繋がり、第５接続部１ｗと第２直線部１ｙとが繋がっている。具体的には、複数のＣ形状部１ｊの間では、第４接続部１ｖの上端と第１直線部１ｘとが繋がり、第５接続部１ｗの下端と第２直線部１ｙとが繋がっている。シュレム管の周方向において、第１直線部１ｘと第２直線部１ｙとは同じ位置に配置されており、上下方向から見ると、第１直線部１ｘと第２直線部１ｙとが重なっている。図３、図４に示すステント１では、シュレム管の周方向から見たときのステント１の形状は、左端に隙間が形成されるＣ形状となっている。そのため、このステント１では、シュレム管の径方向の内側への弾性変形が可能になっている。
【００３９】
上述した形態のステント１と同様に、図３、図４に示すステント１は、形状記憶合金で形成されており、常温環境下で超弾性状態となっている。また、このステント１は、径の小さなパイプにレーザ電解複合加工を行うことで形成されている。また、このステント１がシュレム管に挿入された状態では、ステント１は、環状に形成されるシュレム管の周方向にステント１の長手方向が沿うように円弧状に湾曲している。また、シュレム管にステント１が挿入された状態では、ステント１の外周面がシュレム管の内周面に接触しており、ステント１はシュレム管を径方向の外側に押し広げている。すなわち、図３、図４に示すステント１も、シュレム管の径方向に拡張する拡張性を有している。
【００４０】
図３、図４に示すステント１においても、上述した形態と同様の効果を得ることができる。なお、図３、図４に示すステント１は、第１直線部１ｘと第２直線部１ｙとからなる連結部１ｋによってＣ形状部１ｊが繋がれているため、シュレム管の周方向に沿って円弧状に湾曲しやすくなっている。また、Ｃ形状部１ｊが備える第１円弧部１ｎの数は、３個以上であっても良いし、１個であっても良い。また、Ｃ形状部１ｊが備える第２円弧部１ｐの数は、３個以上であっても良いし、１個であっても良い。
【００４１】
（他の実施の形態）
上述した形態および変形例において、ステント１の変態点は、常温以上かつ人体の体温未満となっていても良い。また、上述した形態および変形例において、ステント１は、形状記憶合金以外の弾性体で形成されていても良い。たとえば、ステント１は、形状記憶合金以外の金属で形成されていても良いし、樹脂で形成されていても良い。また、ステント１は、引張りコイルバネ状に形成されていても良いし、円筒状かつ網目状に形成されていても良い。
【符号の説明】
【００４２】
１  ステント
１ａ  基部
１ｂ  円弧部
１ｄ  長尺部
１ｅ  接続部
１ｆ  円弧部
１ｇ  直線部
１ｈ  拡径部
１ｊ  Ｃ形状部
１ｋ  連結部
１ｎ  第１円弧部
１ｐ  第２円弧部
１ｒ  第１接続部
１ｓ  第２接続部
１ｔ  第３接続部
１ｖ  第４接続部
１ｗ  第５接続部
１ｘ  第１直線部
１ｙ  第２直線部
Ｘ１  第１方向
Ｘ２  第２方向
Ｙ１  第３方向
Ｙ２  第４方向
【図１】
2019141450.tif 000003
【図２】
2019141450.tif 000004
【図３】
2019141450.tif 000005
【図４】
2019141450.tif 000006